Podtech/llm-jp-corpus-v4-ja_patent huggingface dataset:
(57)【要約】【課題】浄水装置に活性炭を用いた場合、水みちが発生した。【解決手段】本発明は、活性炭タンク内の原水注入口と処理水取り出し口の開口方向を、上昇流の場合はそれぞれ下方向と上方向に、下降流の場合はそれぞれ上方向と下方向に向けることで、他の流路方向制御を一切必要とせずに水みち発生を防止した。【選択図】図１
2005238211.tif 000002
【特許請求の範囲】
【請求項１】
活性炭が充填されたタンク内に、浄水処理すべき原水（以下“原水”とする）をタンク下部から上部に向けて流通させる場合において、タンク内下部の原水注入口を上部に向けて装着するのではなく、タンク内下部に向けて装着することを特徴とする活性炭充填タンクにおける水みち発生防止法。
【請求項２】
活性炭が充填されたタンク内に、原水をタンク下部から上部に向けて流通させる場合において、タンク内上部の活性炭通過水（以下“処理水”とする）取り出し口を下部に向けて装着するのではなく、タンク内上部に向けて装着することを特徴とする活性炭充填タンクにおける水みち発生防止法。
【請求項３】
活性炭が充填されたタンク内に、原水をタンク内上部から下部に向けて流通させる場合において、タンク内上部の原水注入口を下部に向けて装着するのではなく、タンク上部に向けて装着することを特徴とする活性炭充填タンクにおける水みち発生防止法。
【請求項４】
活性炭が充填されたタンク内に、原水をタンク上部から下部に向けて流通させる場合において、タンク内下部の処理水取り出し口を上部に向けて装着するのではなく、タンク内下部に向けて装着することを特徴とする活性炭充填タンクにおける水みち発生防止法。
【発明の詳細な説明】
【技術分野】
【０００１】活性炭が充填されたタンク内に水みちの発生を防止する技術分野。
【背景技術】
【０００２】活性炭タンク内の活性炭全量に原水が接触通過し、流入口から流出口までを最短距離で通過させてしまう水みち発生防止を、タンク内に流路補正のための板やパイプ類を一切使用せずに、活性炭タンクでの水の動きを観察していくことから考案された注入方向と取り出し方向を設定する技術。
【発明が解決しようとする課題】
【０００３】従来の活性炭充填タンクでは流入口と流出口を最短距離で通過しようとする“水みち”が発生していた。
【課題を解決するための手段】
【０００４】請求項１と請求項２は活性炭タンクを原水が下から上に向かう上昇流において、請求項３と請求項４は活性炭タンクを原水が上から下に向かう下降流において、いずれも原水注入口と処理水取り出し口を工夫するだけで水みち発生を防止するものである。
【発明の作用】
【０００５】原水注入口の開口方向は、請求項１の場合は下へ向いているため、注入口からタンク活性炭へ入った原水は下方へ注入口を中心に弧を描く形で動きタンク底辺の両側の隅に達した所で上昇を始め同一水位を保持しながらタンク上部に向かう。
【０００６】処理水取り出し口の開口方向は、請求項２の場合は上へ向いているため、タンク内を移動してきた処理水は、タンク上部の両隅まで到達した所で始めて取り出し口に向かう。
【０００７】このように、請求項１及び請求項２に示す原水注入口と処理水取り出し口とによって、活性炭タンク内活性炭全量通過を強制され、水みちを発生させることなく上昇方向での活性炭吸着浄水を行う。
【０００８】原水注入口の開口方向は、請求項３の場合は上へ向いているため、原水は、タンク上部の両隅まで到達した所で始めて下方に向かう。
【０００９】処理水取り出し口の開口方向は、請求項４の場合は下に向いているため、タンク内を移動してきた処理水は、タンク底辺の両隅まで到達した所で始めて取り出し口に向かう。
【００１０】このように、請求項３及び請求項４に示す原水注入口と処理水取り出し口とによって、活性炭タンク内活性炭全量通過が強制され、水みちを発生させることなく下降方向での活性炭吸着浄水を行う
【発明の実施例】
【００１１】図１が、本発明の基本概念である。
【発明の効果】
【００１２】水に含まれる有害な有機化合物類を除去し安全な水を得るためには活性炭は有効な素材であるにも関わらず、工夫が無い旧態以前の方法でしか使用されていないために活性炭の能力が充分に活かされていなかった。
本発明によって高濃度に汚染された水を飲料水レベルの水質まで少量の活性炭で浄水することが可能になった。
【図面の簡単な説明】
【００１３】
【図１】請求項１及び請求項２で示した上昇流の場合
【図２】請求項３及び請求項４で示した下降流の場合
【符号の説明】
【００１４】１：原水
２：原水注入口
３：活性炭タンク
４：処理水取り出し口
５：処理水
【図１】
2005238211.tif 000003
【図２】
2005238211.tif 000004
(57)【要約】      （修正有）【課題】スパッタの付着が増加することで水晶振動子の発振停止や発振不安定が発生することを防止する溶接方法を提供する。【解決手段】内部に振動片を封入してなる振動子３であって、該振動子の一端部に設けられ前記振動片と導通する２本のリード線５を溶接するにあたり、レーザー射出口１と溶接部８間に、レーザーにより飛散する溶接スパッタを付着する透明な移動シート９を介在して溶接する。透明な移動シートは、一定のスピードで移動する。【選択図】図１
2005238295.tif 000002
【特許請求の範囲】
【請求項１】
内部に振動片を封入してなる振動子であって、該振動子の一端部に設けられ前記振動片と導通する２本のリード線を溶接するにあたり、レーザー射出口と溶接部間に、レーザーにより飛散する溶接スパッタを付着する透明な移動シートを介在して溶接することを特徴とする振動子の溶接方法。
【請求項２】
前記透明なシートは、一定のスピードで移動することを特徴とする請求項１記載の振動子の溶接方法。
【発明の詳細な説明】
【技術分野】
【０００１】
本発明は、振動子の溶接方法に関するものである。
【背景技術】
【０００２】
振動子の一端部に設けられる２本のリード線が固定される２つの電極端子を溶接するレーザー溶接機は、レーザー射出口に溶接時のチリ（以下、スパッタという）の付着を防止する為、射出口と溶接される２本のリード線と電極端子の間に透明なガラス板を設置している。振動子の製造過程において溶接スパッタが透明なガラス板に付着したまま溶接を行うと、堆積したスパッタによりレーザー溶接条件が変化し、溶接の不安定・バラツキによる溶接不良が発生する。この溶接不良発生を防止することは振動子の溶接では重要な解決課題である。
【０００３】
図３は振動子の外観斜視図である。振動子３は封止管１０と２本のリード線５、気密端子１１で構成されている。図４は従来技術によるレーザー溶接の外観側面模式図である。レーザー溶接対象は、振動子３のリード線５と、電極端子フレーム４であり、レーザー射出口１（図では２つある）と溶接部の間にはスパッタ付着防止ガラス２が設けられている。溶接によるスパッタが保護ガラスに付着しにくいレーザー加工ヘッドについて、エアーブロー装置をつける発明が公開されている。（例えば特許文献１参照）
【０００４】
図５は従来技術によりリード線５にコーティングされている半田メッキがレーザー光６により溶かされ、溶けたときに発生したスパッタ７が、スパッタ付着防止ガラス２に付着するのを示す側面模式図である。８は溶接部である。
【０００５】
【特許文献１】特開２０００−２６３２７６号公報
【発明の開示】
【発明が解決しようとする課題】
【０００６】
従来技術においてスパッタ付着防止ガラス２は固定状態であり、レーザー溶接を行った時にレーザー光６によりリード線５にコーティングされている半田メッキ等が溶け、スパッタ７として飛散し、スパッタ付着防止ガラス２下面に付着する。連続してレーザー溶接を行うので、スパッタ７がスパッタ付着防止ガラス２下面に堆積し、レーザー光が遮蔽・拡散されて溶接が不安定になり、溶接不良による振動子の発振停止や発振不安定が発生する。特許文献１で公開された技術でもスパッタを付きにくくするだけで、完全に防止することはできない。
【課題を解決するための手段】
【０００７】
内部に振動片を封入してなる振動子であって、該振動子の一端部に設けられ前記振動片と導通する２本のリード線を溶接するにあたり、レーザー射出口と溶接部間に、レーザー溶接により飛散する溶接スパッタを付着する透明な移動シートを介在して溶接する振動子の溶接方法とする。
前記透明なシートは、一定のスピードで移動する振動子の溶接方法とする。
【発明の効果】
【０００８】
本発明の振動子の溶接方法によれば、レーザー射出口とリード線及び電極端子との間に、移動する透明な移動シートを設けることで、溶接スパッタが常に取り除け、レーザー溶接条件バラツキがなくなり溶接不良発生の防止となり品質が安定した。透明なシートを一定のスピードで移動することでより安定した溶接ができた。
【発明を実施するための最良の形態】
【０００９】
内部に振動片を封入してなる筒型振動子と、該筒型振動子の一端部に設けられ前記振動片と導通する２本のリード線と、該２本のリード線が固定される２つの電極端子の一部とをレーザーにより溶接する振動子の溶接方法において、レーザー射出口と溶接される２本のリード線と電極端子の間に、レーザーによる溶接スパッタを付着する透明なシートを移動させる振動子の溶接方法とする。    
【実施例１】
【００１０】
図１は本発明に係わるレーザー溶接の外観側面模式図であり、図２は上面外観模式図である。レーザー溶接対象は、振動子３のリード線５と、電極端子フレーム４であり、レーザー射出口１（図では２つある）と溶接部８の間には一定のスピードで移動する透明なシート９が装着されている。透明なシート９は左から右（図中の矢印方向）へ移動しながら、溶接スパッタ７を付着して搬送し、レーザー射出口１と溶接部間にスパッタ7が堆積するのを防止している。
【００１１】
図２に示す様に、透明なシート９は一定のスピードで矢印方向に移動するのが好ましいが、レーザー溶接のタクトに合わせた間欠移動でも本発明の目的は達成できる。溶接対象である振動子３と電極端子フレーム４は図中の白抜き矢印（Ａ）方向に移動し透明なシート９の下部で溶接されることになる。
【図面の簡単な説明】
【００１２】
【図１】本発明に係わるレーザー溶接の外観側面模式図
【図２】本発明に係わるレーザー溶接の上面外観模式図
【図３】振動子の外観斜視図
【図４】従来技術によるレーザー溶接の外観側面模式図
【図５】従来技術によりリード線５にコーティングされている半田メッキがレーザー光６により溶かされ、溶けたときに発生したスパッタ７が、スパッタ付着防止ガラス２に付着するのを示す側面模式図
【符号の説明】
【００１３】
１    レーザー射出口
２    スパッタ付着防止ガラス
３    振動子
４    電極端子フレーム
５    リード線
６    レーザー光
７    レーザー溶接時のスパッタ
８    溶接部
９    透明な移動シート
１０    封止管
１１    気密端子
【図１】
2005238295.tif 000003
【図２】
2005238295.tif 000004
【図３】
2005238295.tif 000005
【図４】
2005238295.tif 000006
【図５】
2005238295.tif 000007
(57)【要約】【課題】ゴミ分別有穴ドラムが目詰まりを起こしたとき、目詰まり除去用クリーニングローターを作動させることにより、無労力でしかも短時間で自動的に目詰まりを除去できる。【解決手段】目詰まりを除去するために、分別有穴ドラムの穴に合う様ローター上に突起ピンを取付て同時に回転させる。【選択図】図４
2005238210.tif 000002
【特許請求の範囲】
【請求項１】
ゴミ・残土・コンクリートガラ・石膏ボード等を分別する分別有穴ドラム（２）を装着したゴミ分別機。
【請求項２】
ゴミ分別機に取り付けた請求項１の（２）の目詰まりを除去するためにクリーニングローター（３）を取り付けたゴミ分別機。
【請求項３】
ゴミ分別機に取り付けた請求項２の（３）を目詰まりを除去するために装着した除去ピン（４）及びそのピンを脱着できるようにしたクリーニングローターを取り付けたゴミ分別機。
【発明の詳細な説明】
【発明の詳細な説明】
【技術分野】
【０００１】本発明は、駆動モーターにより、ゴミ分別有穴ドラムを回転し、ゴミを分別する装置の方法に関するもの。
【背景技術】
【０００２】従来のゴミ分別ドラムは、分別にある程度の時間が経つと分別穴が石等で目詰まりを起こし、分別されずにそのまま排出されていた。
【発明の解決しようとする課題】
【０００３】従来のゴミ分別有穴ドラムの目詰まりを起こしたとき、分別機をそのたびごとに止め、数人で数万個の穴を何時間もかけて金属棒等で一穴ごとに除去する無駄な労力と時間をかけるという問題点があった。
【０００４】本発明は、目詰まりを早く無駄な労力と時間をかけずに短時間で目詰まりを除去する方法と装置、そしてその装置を製造する方法を提供することを目的とする。
【課題を解決するための手段】
【０００５】前期の課題を解決するための請求項１の本発明はゴミ分別有穴ドラムの側面に請求項２のクリーニングローターを装着しゴミ分別ドラムの穴とクリーニングローターのピンがそれぞれかみ合うようにセットして、動力で回転させる装置である。この装置により、無駄な労力と時間を節約できる。
【０００６】前記請求項２の（２）のクリーニングローターの突起ピンは、摩耗を防止するために、ピン先端を焼き入れ加工処理するかもしくは超鋼金属等で先端を製作しておくとよい。
【０００７】前期のゴミ分別ドラムの分別穴径はゴミ分別の大小により２０ｍｍから５０ｍｍとして、それぞれの大きさの穴径のドラムを製作して、分別ゴミの大小により、取り替えて使用する。
【発明の実施形態】
【０００９】本発明は、分別有穴ドラムの上下・左右のどの側面にクリーニングローターを装着した方法でもよい。
【００１０】クリーニングローターとゴミ分別有穴ドラムとの接合・離合の動力は、人力又は動力のどちらの方法でもよい。
【実施例】
【００１１】実施例について図面を参照して説明すると図１においてゴミ分別機のなかにゴミ分別ドラム（２）と、その上部にクリーニングローター（３）を装着し、図３のように接合して同時回転させる。
【発明の効果】
【００１２】本発明は、以上説明したような形態で実施され、以下に記載されるような効果を奏する。
【００１３】ゴミ分別機のゴミ分別有穴ドラムの側面にクリーニングローターを装着しドラムの穴とクリーニングのピンをそれぞれ結合させて回転させることにより、安易に目詰まりを除去して無駄な労力と時間を節約することができる。
【００１４】そしてクリーニングローターを装着することにより、作業スペースを縮小でき、人力での作業時の労働災害を無くすることができる。
【００１５】そして人力で目詰まりを除去作業後の片づけ清掃等の作業が省ける。
【図面の簡単な説明】
【図１】ゴミ分別機の縦断面図である。
【図２】ゴミ分別機の横断面図である。
【図３】ゴミ分別有穴ドラムとクリーニングローターを結合時の縦断面である。
【図４】クリーニングローターの縦・横断面である。
【図５】ゴミ分別有穴ドラムの縦断面である。
【符号の説明】
１  ゴミ分別機本体の架台
２  ゴミ分別有穴ドラム
３  クリーニングローター
４  クリーニングローターピン
５  ゴミ分別有穴ドラム穴
６  駆動モーター
【図１】
2005238210.tif 000003
【図２】
2005238210.tif 000004
【図３】
2005238210.tif 000005
【図４】
2005238210.tif 000006
【図５】
2005238210.tif 000007
(57)【要約】      （修正有）【課題】高精度なプレス加工を可能にするパンチプレス金型を提供する。【解決手段】パンチ支持部材１に固定されたパンチガイドブッシュ２とパンチガイド１６の間にリテーナ１８、１９を設け、パンチガイド１６とパンチボディ８の間にもリテーナ１８、１９を設けてパンチを支持する事により、パンチ７をパンチ支持部材１に対しゼロクリアランスで摺動させる事が可能になるものである。これにより高精度なプレス加工が可能であり、パンチとダイのクリアランスが微細な加工であってもパンチやダイの破損を起こすことなくプレス加工ができる。【選択図】図１
2005238281.tif 000002
【特許請求の範囲】
【請求項１】
パンチ支持部材に固定されたパンチガイドブッシュとパンチガイドの間にリテーナを設け、パンチガイドとパンチボディの間にもリテーナを設け、上記パンチボディの一端にパンチを固定して支持するパンチプレス金型。
【発明の詳細な説明】
【技術分野】
【０００１】
本発明は、板材を打抜き加工するパンチプレス金型に関するものである。
【背景技術】
【０００２】
従来のパンチプレス金型の構造は、図３に示すように、パンチ支持部材１に固定されたパンチガイドブッシュ２とパンチガイド１６の間と、パンチガイド１６とパンチボディ８の間は、パンチガイド１６及びパンチボディ８が摺動する為の隙間が空いている構造であった。
【０００３】
なお、この出願に関する先行技術文献情報としては、例えば、特許文献１が知られている。
【特許文献１】特開平７−１３６７２５号公報
【発明の開示】
【発明が解決しようとする課題】
【０００４】
上記従来の方法では、薄い材料を打抜き加工する場合などの高精度を要求される加工ができないという課題があった。
【０００５】
本発明は、パンチをパンチ支持部材に対しゼロクリアランスで摺動させ、高精度なプレス加工を可能にするパンチプレス金型を提供する事を目的とするものである。
【課題を解決するための手段】
【０００６】
上記目的を達成するために、以下に構成を説明する。
【０００７】
パンチ支持部材に固定されたパンチガイドブッシュとパンチガイドの間にリテーナを設け、パンチガイドとパンチボディの間にもリテーナを設けてパンチを支持する事により、パンチをパンチ支持部材に対しゼロクリアランスで摺動させる事が可能になるものである。これにより高精度なプレス加工が可能であり、パンチとダイのクリアランスが微細な加工であってもパンチやダイの破損を起こすことなくプレス加工ができるという効果が得られる。
【発明の効果】
【０００８】
本発明によれば、被加工材料が非常に薄い材料であっても、高精度でかつ高品質なプレス加工が可能となり、例えば打抜き加工時のパンチとダイの加工部切刃クリアランスが５μｍ以下が必要な場合においてもプレス加工が可能であり、パンチとダイの加工部が干渉し破損することは無いという効果が得られ、高品質で経済的なパンチプレス金型を実現するものである。
【発明を実施するための最良の形態】
【０００９】
以下、実施の形態１を用いて、本発明の特に請求項１について説明する。図１は本発明によるパンチプレス金型である。図１において、パンチガイドブッシュ２は、ボルトＡ３によりパンチ支持部材１に固定されている。押し上げ板４は、パンチガイドブッシュ２に、先端がネジになっている支柱５とこの支柱５に取りつけられたスプリングＡ６により、上方に押し上げられる力が加わるように取りつけられている。パンチ７は、パンチボディ８に、押え棒９を介してスクリュープラグ１０により、パンチボディ８の一端から押し込んで固定されている。パンチボディ８は、パンチドライバ１１に、ボルトＢ１２により固定された連結材１３に引っ掛けるように固定されている。受け板１４は、パンチガイド１６に固定されており、スプリング押え板１５は、パンチドライバ１１にネジにより固定されている。このスプリング押え板１５と受け板１４の間にスプリングＢ１７が取りつけられており、スプリング押え板１５を押し上げる働きをしており、スプリング押え板１５と一体となっているパンチドライバ１１からパンチ７までを押し上げる働きをしている。パンチガイドブッシュ２とパンチガイド１６の間には、リテーナＡ１８が、パンチガイド１６が摺動する際にリテーナＡ１８内のボールが転がるように、取りつけられている。また、パンチガイド１６とパンチボディ８の間にはリテーナＢ１９が、パンチボディ８が摺動する際にリテーナＢ１９内のボールが転がるように、取りつけられている。パンチボディ８の先端には、ストリッパープレート２０が固定されており、このパンチガイド１６は押し上げ板４により支持されている。また、リテーナＡ１８の下方への脱落を防止する為に、リテーナ受け板２１をパンチガイドブッシュ２に、ボルトＣ２２により固定している。ダイ２３は、ダイ支持部材２４に装着されており、パンチの直下に位置している。
【００１０】
図２は、パンチドライバ１１に上方より荷重２５が加わった状態を示し、パンチ７とダイ２３により被加工材料２６を打抜き加工した状態である。
【００１１】
図１から図２の状態に至るまでに、パンチガイド１６は、パンチガイドブッシュ２内をリテーナＡ１８内のボールが転がることにより摺動し、パンチボディ８は、パンチガイド１６内をリテーナＢ１９内のボールが転がることにより、摺動するものである。上記リテーナＡ１８とリテーナＢ１９は、それぞれ５μｍ〜２０μｍ程度の圧縮を受けながら転がっている為、従来のように摺動部に隙間が無く摺動し、高精度に摺動させることが可能となる。
【００１２】
よって、被加工材料２６が非常に薄い材料であっても、高精度でかつ高品質なプレス加工が可能となる。
【産業上の利用可能性】
【００１３】
本発明のパンチプレス金型は、被加工材料が非常に薄い材料であっても、高精度でかつ高品質なプレス加工が可能となり、パンチとダイの加工部が干渉し破損することは無いという効果を有し、非常に薄い板材を打抜き加工するパンチプレス金型などに有用である。
【図面の簡単な説明】
【００１４】
【図１】本発明のパンチプレス金型の正面図
【図２】本発明のパンチプレス金型の加工時の正面図
【図３】従来のパンチプレス金型の正面図
【符号の説明】
【００１５】
１  パンチ支持部材
２  パンチガイドブッシュ
３  ボルトＡ
４  押し上げ板
５  支柱
６  スプリングＡ
７  パンチ
８  パンチボディ
９  押え棒
１０  スクリュープラグ
１１  パンチドライバ
１２  ボルトＢ
１３  連結材
１４  受け板
１５  スプリング押え板
１６  パンチガイド
１７  スプリングＢ
１８  リテーナＡ
１９  リテーナＢ
２０  ストリッパープレート
２１  リテーナ受け板
２２  ボルトＣ
２３  ダイ
２４  ダイ支持部材
２５  荷重
２６  被加工材料
【図１】
2005238281.tif 000003
【図２】
2005238281.tif 000004
【図３】
2005238281.tif 000005
(57)【要約】【課題】    胴体の幅および容積を必要最小限に抑えた、コンパクトな人型双腕ロボットを提供する。  【解決手段】    胴体の左右に２本の腕を備え、左右の前記腕を前記胴体に対してそれぞれ旋回駆動する電動モータを前記胴体の内部に備えた人型双腕ロボットにおいて、前記左右の電動モータを非対称に配置する。また、前記左右の電動モータを前記胴体の前後方向に非対称に配置する。また、前記左右の電動モータを前記胴体の上下方向に非対称に配置する。さらにまた、  前記左の腕の旋回軸を前記胴体の左斜め前方に向け、前記右の腕の旋回軸を前記胴体の右斜め前方に向ける。【選択図】図１
2005238350.tif 000002
【特許請求の範囲】
【請求項１】
胴体の左右に２本の腕を備え、左右の前記腕を前記胴体に対してそれぞれ旋回駆動する電動モータを前記胴体の内部に備えた人型双腕ロボットにおいて、前記左右の電動モータを非対称に配置したことを特徴とする人型双腕ロボット。
【請求項２】
前記左右の電動モータを前記胴体の前後方向に非対称に配置したことを特徴とする請求項１に記載の人型双腕ロボット。
【請求項３】
前記左右の電動モータを前記胴体の上下方向に非対称に配置したことを特徴とする請求項１に記載の人型双腕ロボット。
【請求項４】
前記左の腕の旋回軸を前記胴体の左斜め前方に向け、前記右の腕の旋回軸を前記胴体の右斜め前方に向けたことを特徴とする請求項１ないし請求項３のいずれかに記載の人型双腕ロボット。
【発明の詳細な説明】
【技術分野】
【０００１】
本発明は、胴体の左右に２本の腕を備えた人型双腕ロボットに関するものである。  
【背景技術】
【０００２】
以前から、胴体の左右に２本の腕および脚を備えた人型双腕ロボットが知られている（例えば、特許文献１、特許文献２）。近年、これらの人型双腕ロボットを、サービスや娯楽といった日常生活の場で使用することが期待され、各種の人型双腕ロボットが提案されている。これらの人型双腕ロボットは、人間の生活の場で使用できるようにコンパクトにする必要がある。また人間に威圧感を与えないような形態にする必要がある。
【特許文献１】特開昭６０−１４１４８５号公報
【特許文献１】特開２００１−３２２０８２号公報
【発明の開示】
【発明が解決しようとする課題】
【０００３】
しかしながら、従来の人型双腕ロボットには、寸法をコンパクトに纏める、あるいは威圧感を与えない形態をための技術的な考慮はなされていなかったので、日常生活の場面では使い難いという問題があった。特許文献１の人型双腕ロボットは胴体の左右に巨大な固定腕支持部と回転腕支持支持部を左右対称に備え、非常に力強い印象を与えているが、コンパクトとは程遠い。また、特許文献２に記載の人型双腕ロボットは台形断面の巨大な胴体を備え、威圧的な印象を与えている。本発明はかかる課題に鑑みてなされたものであり、胴体の幅および容積を必要最小限に抑えた、コンパクトな人型双腕ロボットを提供することを目的とするものである。
【課題を解決するための手段】
【０００４】
上記問題を解決する為に、本発明は。胴体の左右に２本の腕を備え、左右の前記腕を前記胴体に対してそれぞれ旋回駆動する電動モータを前記胴体の内部に備えた人型双腕ロボットにおいて、前記左右の電動モータを非対称に配置したものである。また、前記左右の電動モータを前記胴体の前後方向に非対称に配置したものである。また、前記左右の電動モータを前記胴体の上下方向に非対称に配置したものである。さらに、前記左の腕の旋回軸を前記胴体の左斜め前方に向け、前記右の腕の旋回軸を前記胴体の右斜め前方に向けるものである。
【発明の効果】
【０００５】
請求項１、請求項２および請求項３に記載の発明によれば、左右の電動モータを非対称に配置したので、左右の電動モータが胴体内で干渉することがないので、胴体をコンパクトに纏めることができるという効果がある。また、これに加えて請求項４に記載の発明は、左右の腕の旋回軸を胴体の斜め前方に向けたので、左右の腕を胴体の前に置くことが可能になり、胴体の前で、左右の腕を協調動作させて各種の作業を行なうこと可能になるという効果がある。
【発明を実施するための最良の形態】
【０００６】
以下、本発明の実施の形態について図を参照して説明する。
【実施例】
【０００７】
図１は、本発明の第実施例を示す人型双腕ロボットの平面図であり、図の下側がロボットの正面である。図２は同じく平面図である。図において、１は人型双腕ロボットの胴体である。胴体１の左右に右腕２Ｒと左腕２Ｌが備えられている。ここで添え字ＲおよびＬは右及び左を示す。以下、左右の違いを問題にしないときは添え字ＲおよびＬを省略する。
【０００８】
腕２は２自由度を備え、胴体１に対して回転軸α回りに回転駆動する第１の回転駆動要素３と、第１の回転駆動要素３に対して回転軸β回りに回転駆動する第２の回転駆動要素４とからなる。第１の回転駆動要素３は、第１の電動モータ１１、プーリ１２，１３、ベルト１４、減速機１５および第１のフレーム１６からなる。減速機１５は胴体１に固定され、プーリ１２，１３およびベルト１４を介して第１の電動モータ１１の動力が伝えられ、第１のフレーム１６を回転軸α回りに回転駆動する。回転軸αは胴体１の斜め前方を向いていて、回転軸βは回転軸αに直交しているので、回転軸βは胴体１して内向きであり、左右の回転軸βは胴体１の正面で交差する。第２の回転駆動要素４は、第２の電動モータ２１、プーリ２２，２３、ベルト２４、減速機２５および第２のフレーム２６からなる。減速機２５は第１のフレーム１６に固定され、第２の電動モータ２１は第２のフレーム２６に固定されている。第２の電動モータ２１の動力は、プーリ２２，２３およびベルト２４を介して減速機２５に伝えられ、第２のフレーム２６を回転軸β回りに回転駆動する。
【０００９】
左右の第１の電動モータ１１Ｌおよび１１Ｒは図２から明らかように、胴体１の内部で上下に高さを違えて非対称に配置されているので、互いに干渉することがなく、胴体１の幅を最小限にすることができる。左右の第１の電動モータ１１Ｌおよび１１Ｒは胴体１の内部で、前後に位置を違えて非対称に配置してもよい。
また、α軸を胴体の斜め前方に向けているので、第１の回転駆動要素３を回転して、β軸を上に向けて、第２の回転駆動要素４を回転させて、第２のフレーム２６を胴体１の正面に持ってきたときに、胴体１と第２のフレーム２６の干渉が生じない。このため、左右の腕２Ｌ、２Ｒを胴体１の前で、接近させて、互いに関連あるいは協調させる動作が容易になる。
【産業上の利用可能性】
【００１０】
本発明は、胴体の左右に２本の腕を備えた人型双腕ロボットに関するものである。
【図面の簡単な説明】
【００１１】
【図１】本発明の実施例を示す人型双腕ロボットの正面図である。
【図２】本発明の実施例を示す人型双腕ロボットの平面図である。
【符号の説明】
【００１２】
１  胴体、２  腕、３  第１の間接構成要素、４  第２の間接構成要素、１１  第１の電動モータ、１２  プーリ、１３  プーリ、１４  ベルト、１５  減速機、１６  第１のフレーム、２１  第２の電動モータ、２２  プーリ、２３  プーリ、２４  ベルト、２５  減速機、２６  第２のフレーム
【図１】
2005238350.tif 000003
【図２】
2005238350.tif 000004
(57)【要約】【課題】カレンダーを巻き易くし、巻き作業を容易にし、短時間で多く巻けるようにする。【解決手段】カレンダーＣを巻き取る際に使用する円筒形の巻き芯１であって、一端部にカレンダーＣの巻き始め部分を巻き芯１との間に挟むクリップ２を設けたことを特徴とするカレンダーの巻き芯。【選択図】図１
2005238807.tif 000002
【特許請求の範囲】
【請求項１】
カレンダーを巻き取る際に使用する円筒形の巻き芯であって、一端部にカレンダーの巻き始め部分を巻き芯との間に挟むクリップを設けたことを特徴とするカレンダーの巻き芯。
【発明の詳細な説明】
【技術分野】
【０００１】本発明は、カレンダーを巻いてビニール袋に入れる作業を容易にするカレンダーの巻き芯に関するものである。
【背景技術】
【０００２】従来のカレンダーは、手で巻いて、ビニール袋に入れていた。このため、カレンダーの巻き芯がないため、巻き始めは思うようにいかなかった。また、カレンダーを巻く回数が多くなると体に負担（手や肩に疲れを感じる）がかかり、時間もかかった。この点が、難しく面倒であった。
【発明の開示】
【発明が解決しようとする課題】
【０００３】本発明は、上記問題点、すなわち、カレンダーの巻き芯がないため、巻き始めは思うようにいかない、体に負担がかかる、時間もかかる、といった問題点を解決することを課題とする。
【課題が解決するための手段】
【０００４】上記課題を解決するために、本発明が提供するカレンダーの巻き芯は、カレンダーを巻き取る際に使用する円筒形の巻き芯であって、一端部にカレンダーの巻き始め部分を巻き芯との間に挟むクリップを設けたものである。
【発明の効果】
【０００５】本発明のカレンダーの巻き芯は、一端部にカレンダーの巻き始め部分を巻き芯との間に挟むクリップを設けているので、巻き始めが容易になり、カレンダーをスムースに巻ける。
【発明を実施するための最良の形態】以下、本発明を実施するための最良の形態を実施例によって図面を参照しながら説明する。
【実施例】
【０００６】以下、図面に従って本発明の実施例について説明する。
図１は、実施例のカレンダーの巻き芯の平面図、図２は、同巻き芯の使用状態を示す平面図である。図１、２において、１はカレンダーＣを巻き付ける巻き芯で、外径は、約２６ｍｍ、長さは、約４２０ｍｍである。長さは、カレンダーＣの幅より約５ｍｍ長い。材質は合成樹脂である。２は、巻き芯１の端に取り付けたクリップである。このクリップ２は、カレンダーＣを巻き付けるときに、その巻き始め部分を巻き芯１との間に挟み付けるためのものである。弾性変形するばね部材で作られている。【０００７】使用方法は、図２のようにカレンダーＣ（名入れは、表側に印刷するので、通常は、裏側）を上にして広げ、その巻き始め部分、すなわち閉じ部分近傍をクリップ２で巻き芯１との間に挟みつけ、同芯１に巻き付けて行く。巻き終わったところで、手元にあるビニール袋に入れる。そして、ビニール袋に入れ終わった状態でクリップ２を巻き終わったカレンダーＣよりはずす。
【図面の簡単な説明】
【図１】実施例のカレンダー巻き芯の平面図。
【図２】実施例のカレンダー巻き芯の使用状態を示す平面図。
【符号の説明】
１  巻き芯
２  クリップ
【図１】
2005238807.tif 000003
【図２】
2005238807.tif 000004
(57)【要約】【課題】  調剤薬局の利用者に薬局の取り扱い医薬品の情報を提供し、薬暦管理の一元化を促進するための、早見表を提供する。【解決手段】  用紙本体のマス目に医薬品の効果の項目を設け、調剤薬局で取り扱う医薬品の写真と名前を効果の項目内に分類し、調剤薬局の利用者に調剤薬局の取り扱い医薬品の情報を提供する調剤薬局の取り扱い医薬品の早見表。【選択図】  図３
2005238808.tif 000002
【特許請求の範囲】
【請求項１】
用紙本体のマス目に医薬品の効果の項目を設け、調剤薬局で取り扱う医薬品の写真と名前を効果の項目内に分類し、調剤薬局の利用者に調剤薬局の取り扱い医薬品の情報を提供する調剤薬局の取り扱い医薬品の早見表。
【発明の詳細な説明】
【技術分野】
【０００１】  本発明は、調剤薬局の利用者に薬局の取り扱い医薬品の情報を提供し、薬暦管理の一元化を促進し、調剤薬局の処方せんの受け付け枚数を増やすための調剤薬局の取り扱い医薬品の早見表に関するものである。
【背景技術】
【０００２】  従来、調剤薬局の利用者は、各薬局の取り扱い医薬品の情報が得られないために、処方せんを発行した医療機関の近くの調剤薬局で医薬品を処方してもらっていた。
たとえば、高齢者が遠く離れた何軒もの調剤薬局に行かなくても、近くの調剤薬局で同じサービスの提供と医薬品の処方が受けられる。
【発明の開示】
【発明が解決しようとする課題】
【０００３】  そのために、次のような問題点があった。
複数の医療機関で発行された処方せんを、その医療機関の近くの調剤薬局で医薬品を処方してもらうことで、薬暦管理の一元化が難しく、薬の重複や副作用の恐れがあった。
調剤薬局には、有効かつ独自の広告媒体がなかった。
本発明は以上の問題点を解決しようとするものである。
【課題を解決するための手段】
【０００４】  調剤薬局の取り扱い医薬品の早見表の用紙にマス目を引き、医薬品の効果の項目を設ける。
効果の項目は、地域医療で需要の多い疾病順、５０音順、または長期の医薬品の処方を必要とする慢性疾患順に並べて分類する。
そして、調剤薬局で取り扱う医薬品の写真と名前を、効果の項目内に地域医療で需要の多い疾病順、５０音順または慢性疾患など長期の処方を必要とする医薬品順に並べて分類する。
以上を特徴とする調剤薬局の取り扱い医薬品の早見表である。
【発明の効果】
【０００５】  本発明は、複数の医療機関の処方せんを、その医療機関近くの調剤薬局で医薬品を処方してもらうことで発生する薬の重複や副作用を防止し、薬暦管理の一元化を促進する。
調剤薬局の有効かつ独自の広告活動が可能になる。
【発明を実施するための最良の形態】
【０００６】  以下、本発明の実施形態を説明する。
（イ）  用紙本体（１）にマス目を引き、大項目（２）、中項目（３）、小項目（４）の表示スペースを設ける。
（ロ）  大項目（２）に、たとえば、「あなたのお薬ありますか？」といった内容のタイトルなどを付ける。
（ハ）  医薬品の効果を表示する中項目（３）を地域医療で需要の多い疾病順、５０音順、または長期の処方を必要とする慢性疾患順に分類する。
（ニ）  中項目（３）内に、調剤薬局で取り扱う医薬品の写真と名前を表示する小項目（４）を、地域医療で需要の多い疾病順、５０音順、または慢性疾患など長期の処方を必要とする医薬品順に分類する。
（ホ）  各項目のマス目の数は、調剤薬局の取り扱い医薬品の種類に応じて、増減する。
（ヘ）  各項目は、調剤薬局の取り扱い医薬品の種類、表示内容、または設置場所のスペースに応じて、たて組、よこ組に分類する。
（ト）  各項目の視認性を高めるために色分けしても良い。
（チ）  大項目（２）を追加し、調剤薬局の店名を記載しても良い。
（リ）  大項目（２）を追加し、たとえば、「詳しくは薬剤師にご相談下さい」といった内容の説明など、顧客の安全を守るための注意事項を記載するスペースを設けても良い。
（ヌ）  大項目（２）を追加し、たとえば、「記載以外にも多数の在庫がございます」、「どこの処方せんも受け付けます」といった内容など、顧客への情報を提供するスペースを設けても良い。
2005238808.tif 000003
ております」といった内容など、顧客への情報を提供するスペースを設けても良い。
2005238808.tif 000004
する。
（ヲ）  大項目（２）は、スペースに応じて上下左右のどの位置に設けても良い。
本発明は、以上の構成よりなっている。
本発明を使用する時は、潜在的な調剤薬局の顧客の目に止まる場所、または媒体に表示する。
たとえば、大項目（２）の「あなたのお薬ありますか？」といった内容のタイトルなどを見た潜在的な調剤薬局の顧客が、中項目（３）内に分類された小項目（４）の中から自分の服用している医薬品を探すことができる。
大項目（２）、中項目（３）、小項目（４）のように分類することにより、複数の医療機関の処方せんを、同じ調剤薬局で医薬品の処方と薬暦管理をしてもらうことが可能であることを、潜在的な調剤薬局の顧客に容易に認識させることができる。
【図面の簡単な説明】
【０００７】
【図１】本発明のたて組の正面図
【図２】本発明のよこ組の正面図
【図３】本発明の使用状況を示した正面図
【符号の説明】
【０００８】    １  用紙本体
２  大項目
３  中項目
４  小項目
【図１】
2005238808.tif 000005
【図２】
2005238808.tif 000006
【図３】
2005238808.tif 000007
(57)【要約】【課題】トイレの滞在時間を利用して、カレンダーをトイレ壁に掛けて毎日随時各人のスケジュールを記入することで家族のスケジュール把握を確実なものにするようカレンダーを活用すると同時に、伝言メモにメッセージを書き込むことで家族間のコミュニケーションを活発化させるものを提供する。【解決手段】トイレの壁に、カレンダー本体１、日めくり伝言メモ２、マジックホルダー３、色別マジック４を装備したカレンダー台紙６を掛けることによって、いつでもマジックでスケジュール記入をできるようにすると同時に、伝言メモで生活時間帯の合わない家族にメッセージを残すことができるようにし、トイレを家族のコミュニケーションの場となるようにした。【選択図】  図１
2005238810.tif 000002
【特許請求の範囲】
【請求項１】
トイレ専用の月間カレンダーとマジック、伝言メモを組み合わせた点
【請求項２】
伝言メモを２日ごとの日めくり用にした点
【発明の詳細な説明】
【技術分野】
【０００１】本発明は毎日必ず利用するトイレにカレンダーを掛け、附属のマジックでその場でスケジュールを記入できるようにして家族間のスケジュールを把握しやすいようにしたことと、２日用の日めくり伝言メモを装備し家族間のコミュニケーションを高めることを意図したものである。
【技術背景】
【０００２】これまでカレンダーは居間や台所などに掛けられるのが一般的で、家族各人の詳細なスケジュールを把握する機能は果たしていなかった。特に共働きの家庭やたくさん習い事をしている子供がいる家庭では各人の予定を把握するのが困難であり、家族の対話も少なくすれ違いが多かったりした。
【特殊文献】
【０００３】
【発明の開示】
【発明が解決しようとする課題】
【０００４】居間にカレンダーが掛けてあっても家族のスケジュールをじっくり見ることがなく、行事などを忘れて予定を入れてしまうことが多々あった。また時間を持て余すことの多いトイレの中で何かしら家族間のコミュニケーションを図れる工夫をしたいと考えた。本発明はこの課題を解消するためになされたものである。
【課題を解消するための手段】
【０００５】カレンダー台紙６にマジック用のホルダー３を取り付け、色別マジック４を常備することで、その場でスケジュールを書き込めるようにした。色別マジック４は４人家族を対象として４色とした。また、日めくり伝言メモ２を取り付け、家族皆が記入することによって生活時間帯の異なる家族間でのコミュニケーションを図れるようにした。また伝言メモは１日で捨てられないよう２日用の日めくりとした。
【発明の効果】
【０００６】トイレにカレンダーを掛け、各人色別マジック４でスケジュールを記入することで、家族のスケジュールが一目瞭然になった。さらにトイレにいる間、比較的じっくりスケジュールを見るようになったため、予定もダブルブッキングしなくなった。また日めくり伝言メモ２を装備したことで、残業で遅くなった時などメッセージを残したり、また返事を書いてもらうことで家族のコミュニケーションがよくなった。
【実施例１】
【０００７】（イ）カレンダー台紙６にカレンダー本体１、日めくり伝言メモ２、マジックホルダー３を取付ける。
（ロ）カレンダー台紙６の取付用穴５（４箇所）を画鋲等でトイレ壁に取付ける
（ハ）色別マジック４でスケジュール、伝言などを記入する
【図面の簡単な説明】
【０００８】
【図１】  本発明の正面図
【図２】  本発明の使用状況を示す図
【符号の説明】
【０００９】    １  カレンダー本体
２  日めくり伝言メモ
３  マジックホルダー
４  色別マジック
５  取付用穴
６  カレンダー台紙
【図１】
2005238810.tif 000003
【図２】
2005238810.tif 000004
(57)【要約】【課題】木材、木質構造材、家具及びその部材、板材等の接合、接続を簡単、確実に行える機能を持った装置を提供する、【解決手段】接合面双方に凹溝を設けた接続構造において、凹溝を合わせた開口部に摺接する方形状の部材の挿入方向に沿う対辺上に、接合面に対して外向させた三角錐状の突起部とそれに連接する突起部を三角柱状としたものを設け、圧入することにより、装置自体で略あり溝状の溝を形成し、かつ、装置そのものをそこに封着させて接合させる。【選択図】図１
2005238803.tif 000002
【特許請求の範囲】
【請求項１】
木材及び木質系構造材の接合面に凹溝を設けて接合する接続構造にあって、本装置の構造は、接合面双方の凹溝を合わせた状態の開口に摺接する方形板の、挿入方向に沿う対辺の先端部に外向した鋭角な三角錘状の突出部とそれに連接する突出部を三角柱状とした物を設け、さらに表裏各面に挿入方向に沿うＶ溝を設けたもので、接合位置に保持された接合面双方の凹溝を合わせた状態の開口に直接圧入することにより、圧潰による反発を利用して装置全体がその溝に封着させられることをもってして接合させる、木材及び木質系構造材の接合装置。
【発明の詳細な説明】
【技術分野】
【０００１】  この発明は、木材や木質系構造材、間仕切りパネル、家具及びその部材を接続する接合装置に関するものである。
【背景技術】
【０００２】  従来の技術としては、凹溝にやとい実を介した接合や、あり溝が形成された部材に、これに合わせた挿入部材をもって接続させる接合や、接合面に用意された凹溝に合わせて部材を内設して、部材の組み合わせや変形によって接合させる接続構造が知られている。
【特許文献１】特開昭５３−１２７０６４号公報
【特許文献２】特開昭６０−１０１３０８号公報
【特許文献３】特開平  ６−３４８２０６号公報
【特許文献４】特開２００１−１９３１７５号公報
【特許文献５】実開昭５９−１７７８１１号公報
【特許文献６】登録実案第３０３６４６１号公報
【発明の開示】
【発明が解決しようとする課題】
【０００３】  従来の技術では、接合面同士を締め付けるという要素が少なく、木材や木質系の構造材の特質であるところの体積の減少が生じた場合や軟質の材料においては、各部分にゆるみが生じたり、また取付けたビスがゆるんできたりして、接合面が密着しないという問題点があった。【０００４】  また、複雑な構造を持つものが多く、部材数も多く、加工や取り付けに時間がかかった。
本発明はこれらの欠点を解決するためになされたものである。
【課題を解決するための手段】
【０００５】  本発明の請求項１の接合装置は、接合面双方の凹溝を合わせた状態の開口に摺接する方形板の挿入方向に沿う対辺の先端部に、接合面に対して外向した三角錘状の突出部を設け、それに連接する部分を三角柱状とし、さらに表裏各面に挿入方向に沿うＶ溝を設けたものである。【０００６】  本装置は、図３の（ａ）に示す接合位置に保持された接合面双方の凹溝が合わされた開口部に、直接圧入することで、先端部の三角錘状の突起部分は凹溝周囲の一部を圧潰して略あり溝状の溝を形成して行く。そのとき先端部は接合面に対して外向しているため、圧入するに従い双方の接合面を密着させ、さらに圧潰されて出来た溝に装置は封着され、緩みの無い接合となる。【０００７】  この発明は、釘を打つのと同じように、１つの装置で、接合面双方の凹溝周囲の一部を直接圧潰して溝を造ることと、木質系の材料の特質であるところの圧潰による反発を利用して装置をその溝に封着させて、接合させることに特徴がある。【０００８】  さらに、その作業工程は、接合面を保持した状態で、叩打等により本装置を圧入するだけである。
【発明の効果】
【０００９】  以上説明したとおり、本発明の接合装置を使えば、接合面双方に凹溝を設けて、片面あるいは両面から本装置を圧入するだけで接合することができるため、狭い場所での作業も容易にでき、作業に要する工具も圧入させるための打ち込み工具がひとつあればよく、速く確実な作業が簡単にできる。さらに、接合装置としては単体であり、大量に生産されれば安価なものとして提供できる。
【発明を実施するための最良の形態】
【００１０】  本発明は、建築材、家具、建具等に使われる木材及び木質系構造材を対象とする。さらにその接合対象は、平面的な接合に限られず、図２、図３に一部示すようにＴ字状の接合やＬ字状の接合、また入り角状、出角状等あらゆる接合を包含するものである。【００１１】  本装置は図１の（ａ）に示すように先端部に鋭角な三角錘状の突起部を４ケ所設け、それに連結する部分を三角柱状としたものであり、さらに表裏各面にＶ溝を設けたものであるが、図１の（ｂ）に示すように、表面に２箇所の突起部を設けて、裏面をＶ溝のみとした形状でも十分に効果を発揮する。また、Ｖ溝に関しては凸凹溝でもよく、また溝無しとしてもよい。【００１２】  本発明は以上のような構造を持ち、これを実施するときは接合対象の接合面に設けられた双方の凹溝を合わせた状態で保持し、凹溝を合わせてできた口の字状の溝の開口部より本装置を圧入する。圧入するに従い、先端部は双方の凹溝周囲の一部を圧潰しながらそこに略あり溝状の溝をつくり、連接する部分はそこに封着されていく。さらに先端部は、接合面に対して外向きの三角錘状となっているため、圧入するに従い接合面は引っ張り合い密着していく。【００１３】  表裏各面に設けられたＶ溝は、圧入し易くするためのガイド溝であり、また接着剤を併用したときの接着剤のたまり溝である。
【図面の簡単な説明】
【００１４】
【図１】本発明の斜視図であり、（ａ）は４カ所の突起部を設けたものであり、（ｂ）は２ケ所の突起部を設けたものである。
【図２】（ａ）は本発明のＬ字状の接合に対応したものの斜視図であり、（ｂ）は入り角状の接合に対応したものの斜視図である。
【図３】（ａ）は本装置を圧入する前の状態の断面図であり、（ｂ）は圧入後の断面図である。（ｃ）はＴ字状の接合、（ｄ）はＬ字状の接合の、圧入後の断面図である。
【符号の説明】
【００１５】１：三角錘状の突起部
２：三角柱状の突起部
３：Ｖ溝
【図１】
2005238803.tif 000003
【図２】
2005238803.tif 000004
【図３】
2005238803.tif 000005
(57)【要約】      （修正有）【課題】  図柄による立体視表現方法を提供する。【解決手段】  平面上を一方向に規則的に移動する異なろ形状の組み合わせから成る図柄の連鎖であって、隣りあう図柄が常に同一地点を異なる二つの位置から見たステレオペア関係になる配列を特徴とする構図を成すことで、裸眼で容易に立体感を得ることのできる立体視表現が可能となる。【選択図】図１
2005238805.tif 000002
【特許請求の範囲】
【請求項１】
平面上を一方向に規則的に移動する異なる形状の組み合わせから成る図柄の連鎖であって、隣りあう図柄が常に同一地点を異なる二つの位置から見たステレオペア関係になる配列で構図を成すことを特徴とする立体視表現方法。
【発明の詳細な説明】
【技術分野】
【０００１】  本発明は、平面上に立体感を容易に表すことのできる立体視表現方法に関するものである。
【背景技術】
【０００２】  従来、平面上に立体感を表す方法としてアナグリフ方式が利用されている。この方式は補色関係にある２色（例えば赤色と青色）で描かれたステレオペア画像（例えば赤色画像と青色画像）を、右眼左眼それぞれに異なる２色（例えば赤色と青色）のフィルターを通して見ることにより、視覚に立体の錯覚を生じさせ立体視するものである。また、画像の重なりや色の濃淡、色分けや陰影付けなども立体感を表す手法として広く一般に知られている。
【発明の開示】
【発明が解決しようとする課題】
【０００３】  しかしながら、アナグリフ方式を利用した表現を立体視するためには、アナグリフ用の専用フィルターが必要であり、前述の専用フィルターを通して見なければならない。また、画像の重なりや色の濃淡、色分けや陰影付けなどの手法に於いては、単に写実的な表現にとどまるものであった。
【課題を解決するための手段】
【０００４】  立体視は、平面上に描かれた画像を視覚の錯覚を利用して立体的に見えるようにする見方であることから、本発明は、平面上を一方向に規則的に移動する異なる形状の組み合わせから成る図柄の連鎖であって、隣りあう図柄が常に同一地点を異なる二つの位置から見たステレオペア関係になる配列を特徴とする構図を成すことで裸眼で容易に立体感を得ることができる。
本発明は以上から成る図柄による立体視表現方法である。
【発明の効果】
【０００５】  請求項１に記載の発明によれば、専用フィルターなどの補助具を使用することなく容易に立体視が可能となる。
【発明を実施するための最良の形態】
【０００６】  以下、本発明の実施の形態について、図面を参照して説明する。
図１に示すように、平面上を一方向に規則的に移動する異なる形状の組み合わせから成る図柄の連鎖であって、さらに図２に示すように、隣りあう図柄が常に同一地点を異なる二つの位置から見たステレオペア関係になる配列で構図を成すことを特徴として表現する。
【図面の簡単な説明】
【０００７】
【図１】  平面上を一方向に規則的に移動する異なる形状の組み合わせから成る図柄の連鎖を示した説明図である。
【図２】  隣りあう図柄が同一地点を異なる二つの位置から見たステレオペア関係を示した説明図である。
【図１】
2005238805.tif 000003
【図２】
2005238805.tif 000004